【手続補正書】
【提出日】令和2年5月20日(2020.5.20)
【手続補正１】
【補正対象書類名】明細書
【補正対象項目名】０００６
【補正方法】変更
【補正の内容】
【０００６】
本発明に係る第１の態様の画像補正装置は、所定の投影画像を投影手段により投影面に投影させる投影制御手段と、上記投影画像が投影されている投影面を撮影手段により撮影させることで撮影画像を取得する撮影制御手段と、上記撮影画像に上記投影画像にはない差分画像が含まれていた場合に、上記差分画像の色情報を取得する取得手段と、を備え、上記投影制御手段は、上記投影手段により上記投影面に投影させる投影画像を異なる投影画像に切り替える際に、切り替え前の投影画像に対応して上記色情報が上記取得手段により取得されていた場合には、背景色が上記色情報に対応する色となるように切り替え後の投影画像を補正する、ことを特徴とする。
また、本発明に係る第２の態様の画像補正装置は、投影するための画像情報を取得する投影画像取得手段と、上記投影画像取得手段で取得した上記画像情報から投影画像情報を生成する投影画像生成手段と、上記投影画像生成手段で生成した上記投影画像情報を出力する投影画像出力手段と、上記投影画像情報に基づいて投影された投影画像を含んだ撮影画像の情報を取得する撮影画像取得手段と、上記投影画像情報と上記撮影画像取得手段で取得した上記撮影画像の情報とから、投影面における色補正情報を生成する補正情報生成手段と、上記補正情報生成手段で生成した上記色補正情報と、その時点で上記投影画像取得手段が取得している上記画像情報とを対応付けて記憶する記憶手段と、上記投影画像生成手段が、上記画像情報から上記投影画像情報を生成する際に、上記補正情報生成手段で生成した上記色補正情報に基づいて色補正処理を実行する色補正手段と、を備え、上記色補正手段は、上記記憶手段に記憶されている上記画像情報と、現在取得している画像情報とに基づいて色補正処理を実行するか否かを決定する、ことを特徴とする。
また、本発明に係る第１の態様の画像補正方法は、画像補正装置が実行する画像補正方法であって、所定の投影画像を投影手段により投影面に投影させる投影制御工程と、上記投影画像が投影されている投影面を撮影手段により撮影させることで撮影画像を取得する撮影制御工程と、上記撮影画像に上記投影画像にはない差分画像が含まれていた場合に、上記差分画像の色情報を取得する取得工程と、を有し、上記投影制御工程は、上記投影手段により上記投影面に投影させる投影画像を異なる投影画像に切り替える際に、切り替え前の投影画像に対応して上記色情報が上記取得工程により取得されていた場合には、背景色が上記色情報に対応する色となるように切り替え後の投影画像を補正する、ことを特徴とする。
また、本発明に係る第２の態様の画像補正方法は、画像補正装置が実行する画像補正方法であって、投影するための画像情報を取得する投影画像取得工程と、上記投影画像取得工程で取得した上記画像情報から投影画像情報を生成する投影画像生成工程と、上記投影画像生成工程で生成した上記投影画像情報を出力する投影画像出力工程と、上記投影画像情報に基づいて投影された投影画像を含んだ撮影画像の情報を取得する撮影画像取得工程と、上記投影画像情報と上記撮影画像取得工程で取得した上記撮影画像の情報とから、投影面における色補正情報を生成する補正情報生成工程と、上記補正情報生成工程で生成した上記色補正情報と、その時点で上記投影画像取得工程が取得している上記画像情報とを対応付けて記憶する記憶工程と、上記投影画像生成工程で、上記画像情報から上記投影画像情報を生成する際に、上記補正情報生成工程で生成した上記色補正情報に基づいて色補正処理を実行する色補正工程と、を有し、上記色補正工程は、上記記憶工程で記憶されている上記画像情報と、現在取得している画像情報とに基づいて色補正処理を実行するか否かを決定する、ことを特徴とする。
また、本発明に係る第１の態様のプログラムは、画像補正装置のコンピュータを、所定の投影画像を投影手段により投影面に投影させる投影制御手段、上記投影画像が投影されている投影面を撮影手段により撮影させることで撮影画像を取得する撮影制御手段、上記撮影画像に上記投影画像にはない差分画像が含まれていた場合に、上記差分画像の色情報を取得する取得手段、として機能させ、上記投影制御手段は、上記投影手段により上記投影面に投影させる投影画像を異なる投影画像に切り替える際に、切り替え前の投影画像に対応して上記色情報が上記取得手段により取得されていた場合には、背景色が上記色情報に対応する色となるように切り替え後の投影画像を補正する、ことを特徴とする。
また、本発明に係る第２の態様のプログラムは、画像補正装置のコンピュータを、投影するための画像情報を取得する投影画像取得手段、上記投影画像取得手段で取得した上記画像情報から投影画像情報を生成する投影画像生成手段、上記投影画像生成手段で生成した上記投影画像情報を出力する投影画像出力手段、上記投影画像情報に基づいて投影された投影画像を含んだ撮影画像の情報を取得する撮影画像取得手段、上記投影画像情報と上記撮影画像取得手段で取得した上記撮影画像の情報とから、投影面における色補正情報を生成する補正情報生成手段、上記補正情報生成手段で生成した上記色補正情報と、その時点で上記投影画像取得手段が取得している上記画像情報とを対応付けて記憶する記憶手段、上記投影画像生成手段が、上記画像情報から上記投影画像情報を生成する際に、上記補正情報生成手段で生成した上記色補正情報に基づいて色補正処理を実行する色補正手段、として機能させ、上記色補正手段は、上記記憶手段に記憶されている上記画像情報と、現在取得している画像情報とに基づいて色補正処理を実行するか否かを決定する、ことを特徴とする。
【手続補正２】
【補正対象書類名】特許請求の範囲
【補正対象項目名】全文
【補正方法】変更
【補正の内容】
【特許請求の範囲】
【請求項１】
所定の投影画像を投影手段により投影面に投影させる投影制御手段と、
上記投影画像が投影されている投影面を撮影手段により撮影させることで撮影画像を取得する撮影制御手段と、
上記撮影画像に上記投影画像にはない差分画像が含まれていた場合に、上記差分画像の色情報を取得する取得手段と、
を備え、
上記投影制御手段は、上記投影手段により上記投影面に投影させる投影画像を異なる投影画像に切り替える際に、切り替え前の投影画像に対応して上記色情報が上記取得手段により取得されていた場合には、背景色が上記色情報に対応する色となるように切り替え後の投影画像を補正する、画像補正装置。
【請求項２】
投影するための画像情報を取得する投影画像取得手段と、
上記投影画像取得手段で取得した上記画像情報から投影画像情報を生成する投影画像生成手段と、
上記投影画像生成手段で生成した上記投影画像情報を出力する投影画像出力手段と、
上記投影画像情報に基づいて投影された投影画像を含んだ撮影画像の情報を取得する撮影画像取得手段と、
上記投影画像情報と上記撮影画像取得手段で取得した上記撮影画像の情報とから、投影面における色補正情報を生成する補正情報生成手段と、
上記補正情報生成手段で生成した上記色補正情報と、その時点で上記投影画像取得手段が取得している上記画像情報とを対応付けて記憶する記憶手段と、
上記投影画像生成手段が、上記画像情報から上記投影画像情報を生成する際に、上記補正情報生成手段で生成した上記色補正情報に基づいて色補正処理を実行する色補正手段と、
を備え、
上記色補正手段は、上記記憶手段に記憶されている上記画像情報と、現在取得している画像情報とに基づいて色補正処理を実行するか否かを決定する、画像補正装置。
【請求項３】
上記色補正手段は、上記記憶手段に記憶されている上記画像情報と、現在取得している画像情報とが異なる場合に色補正処理を実行することを決定する、請求項２記載の画像補正装置。
【請求項４】
上記投影画像出力手段で出力する画像信号中に選択の指示を示す操作子の画像信号を合成する画像合成手段と、
上記撮影画像取得手段で取得する撮影画像の情報により、上記操作子の画像に対する操作の有無を判断する判断手段と、
を含む上記色補正手段による色補正処理の実行の有無を選択する選択手段をさらに備える、請求項２又は３に記載の画像補正装置。
【請求項５】
上記補正情報生成手段は、上記投影面に追加された追加部分を判定し、該追加部分に基づく追加色補正情報を生成し、
上記色補正手段は、上記追加色補正情報に基づき、上記追加部分の画像要素を強調するような色補正処理を実行する、請求項２乃至４いずれか記載の画像補正装置。
【請求項６】
画像補正装置が実行する画像補正方法であって、
所定の投影画像を投影手段により投影面に投影させる投影制御工程と、
上記投影画像が投影されている投影面を撮影手段により撮影させることで撮影画像を取得する撮影制御工程と、
上記撮影画像に上記投影画像にはない差分画像が含まれていた場合に、上記差分画像の色情報を取得する取得工程と、
を有し、
上記投影制御工程は、上記投影手段により上記投影面に投影させる投影画像を異なる投影画像に切り替える際に、切り替え前の投影画像に対応して上記色情報が上記取得工程により取得されていた場合には、背景色が上記色情報に対応する色となるように切り替え後の投影画像を補正する、画像補正方法。
【請求項７】
画像補正装置が実行する画像補正方法であって、
投影するための画像情報を取得する投影画像取得工程と、
上記投影画像取得工程で取得した上記画像情報から投影画像情報を生成する投影画像生成工程と、
上記投影画像生成工程で生成した上記投影画像情報を出力する投影画像出力工程と、
上記投影画像情報に基づいて投影された投影画像を含んだ撮影画像の情報を取得する撮影画像取得工程と、
上記投影画像情報と上記撮影画像取得工程で取得した上記撮影画像の情報とから、投影面における色補正情報を生成する補正情報生成工程と、
上記補正情報生成工程で生成した上記色補正情報と、その時点で上記投影画像取得工程が取得している上記画像情報とを対応付けて記憶する記憶工程と、
上記投影画像生成工程で、上記画像情報から上記投影画像情報を生成する際に、上記補正情報生成工程で生成した上記色補正情報に基づいて色補正処理を実行する色補正工程と、
を有し、
上記色補正工程は、上記記憶工程で記憶されている上記画像情報と、現在取得している画像情報とに基づいて色補正処理を実行するか否かを決定する、画像補正方法。
【請求項８】
画像補正装置のコンピュータを、
所定の投影画像を投影手段により投影面に投影させる投影制御手段、
上記投影画像が投影されている投影面を撮影手段により撮影させることで撮影画像を取得する撮影制御手段、
上記撮影画像に上記投影画像にはない差分画像が含まれていた場合に、上記差分画像の色情報を取得する取得手段、
として機能させ、
上記投影制御手段は、上記投影手段により上記投影面に投影させる投影画像を異なる投影画像に切り替える際に、切り替え前の投影画像に対応して上記色情報が上記取得手段により取得されていた場合には、背景色が上記色情報に対応する色となるように切り替え後の投影画像を補正する、プログラム。
【請求項９】
画像補正装置のコンピュータを、
投影するための画像情報を取得する投影画像取得手段、
上記投影画像取得手段で取得した上記画像情報から投影画像情報を生成する投影画像生成手段、
上記投影画像生成手段で生成した上記投影画像情報を出力する投影画像出力手段、
上記投影画像情報に基づいて投影された投影画像を含んだ撮影画像の情報を取得する撮影画像取得手段、
上記投影画像情報と上記撮影画像取得手段で取得した上記撮影画像の情報とから、投影面における色補正情報を生成する補正情報生成手段、
上記補正情報生成手段で生成した上記色補正情報と、その時点で上記投影画像取得手段が取得している上記画像情報とを対応付けて記憶する記憶手段、
上記投影画像生成手段が、上記画像情報から上記投影画像情報を生成する際に、上記補正情報生成手段で生成した上記色補正情報に基づいて色補正処理を実行する色補正手段、
として機能させ、
上記色補正手段は、上記記憶手段に記憶されている上記画像情報と、現在取得している画像情報とに基づいて色補正処理を実行するか否かを決定する、プログラム。